(57)【要約】【課題】現場で採用される階段の側板の厚みが複数種類あって、側板上面（木端面）の幅の設計寸法がさまざまであっても、また、階段室の壁面から側板が突出する寸法が現場毎にバラツキが生じても、それにうまく対応可能で、１種類の長尺化粧枠材を用意することで、ほとんど全てに対応可能となる階段の側板リフォ−ム部材を提供する。【解決手段】階段側板の木端角部分を被覆してリフォ−ムするための部材であって、該部材は、所定の異なる大小２つの幅を有する２つの被覆片からなり、該２つの被覆片が互いに略直角にその一端を当接し、断面が略逆Ｌ字型を有する所定長さの長尺化粧枠材からなり、前記被覆片の異なる２つの幅寸法を壁面から側板角部までの最大寸法と最小寸法に対応した幅寸法とした。【選択図】        図１
2004285617.tif 000002
【特許請求の範囲】
【請求項１】
階段側板の木端角部分を被覆してリフォ−ムするための階段リフォ−ム部材であって、該リフォ−ム部材は、所定の異なる大小２つの幅を有する２つの被覆片からなり、該２つの被覆片が互いに略直角にその一端を当接し、断面が略逆Ｌ字型を有する所定長さの長尺化粧枠材からなり、前記被覆片の異なる２つの幅寸法が、壁面から側板角部までの最大寸法と最小寸法に対応した幅寸法であることを特徴とする階段の側板リフォ−ム部材。
【請求項２】
前記長尺化粧枠材の２つの被覆片の両方又は少なくともいずれか片方に裏面側から断面略Ｖ字型の切欠溝が設けられていることを特徴とする請求項１に記載の階段の側板リフォ−ム部材。
【発明の詳細な説明】
【０００１】
【発明の属する技術分野】
本発明は住宅等の建築物の階段のリフォ−ムに際し、既存の古くなった階段を取り払わないで、その上から極めて簡単に張り付け施工できる階段リフォ−ム部材に関する。
【０００２】
【従来の技術】
従来、住宅等の建築物の階段のリフォ−ムに際し、既存の古くなった階段を取り払うのは大変な手間がかかるので、踏板、蹴込板、側板等の各階段部材の表面にリフォ−ム用の建材を張り付け施工していた。
【０００３】
しかし、このようなリフォ−ム方法では、階段部材のなかで、側板の外部から見える内向き側面を化粧することが大変困難であったので、側板の外部から見える内向き側面が古いままに残ってリフォ−ムを完全に行うことができないといった問題点があった。
【０００４】
そこで、前記問題点を解消するため、図５の（イ）に示すように、側板Ｇの上面（木端面）を被覆する長尺化粧材１１を側板上面の幅寸法よりも大き目に内向き方向へ突出させて延出部を設け、該延出部に裏面から嵌合溝を形成し、側板Ｇの内向き側面を被覆した単位化粧側板１２の上端縁を前記嵌合溝内に突出させて嵌挿し化粧することが知られている。
【０００５】
また、別の方法として、図５の（ロ）に示すように、側板Ｇの内向き側面を化粧する単位化粧側板１２と、側板の上面（木端面）及び単位化粧側板１２の上部を化粧し、さらに一方の端部に設けた垂下片によって単位化粧側板１２の内向き側面上部を被覆する長尺化粧材１１について開示されている。（例えば、特許文献１参照）
【０００６】
【特許文献１】
特開２００１−４９８２０号公報（第２−３頁、第１図、第２図）
【０００７】
【発明が解決しようとする課題】
しかしながら、住宅等建築物の階段の設計寸法は住宅の間取り、部屋の大きさ、階高、階段室のレイアウトなどによってその設計寸法はさまざまである。そのため、前記図５の（イ）に示す方法や図５の（ロ）に示す特開２００１−４９８２０号公報に開示されている方法では、さまざまな大きさの階段寸法、特に、壁面から側板角部までの寸法がさまざまであると、それに対応しきれず、対応するためには、複数種類の大きさの化粧部材をあらかじめ用意しておかなければならず、在庫点数がやたらと増えて経済的に不利であった。
【０００８】
さらに、設計寸法が同一でも階段室の施工時の誤差が加わって現場での階段寸法は現場毎に多少のバラツキが出ることが多い。特に階段室の壁面と階段の側板との取り合い部分において、側板が壁面から突出する寸法、すなわち、壁面から側板角部までの寸法は現場毎にバラツキが大きく、この現場毎のバラツキに対しても前記図５の（イ）に示す方法や図５の（ロ）に示す特開２００１−４９８２０号公報に開示されている方法では、なかなか対応しきれないことが多々あった。
【０００９】
また、前記図５の（イ）に示す方法や図５の（ロ）に示す特開２００１−４９８２０号公報に開示されている方法では、側板Ｇの上面（木端面）の角部において、段差Ｄが発生し外観上大変見苦しいものとなる。
【００１０】
本発明の目的は階段のさまざまな寸法、特に現場で採用される階段の側板の厚みが複数種類あって、側板上面（木端面）の幅の設計寸法がさまざまであっても、１つの種類の長尺化粧枠材を用意することで、ほとんど全てに対応可能で、さらに、同じ厚みの階段の側板を採用しても、階段室の壁面から側板が突出する寸法すなわち、壁面から側板角部までの寸法が現場毎にバラツキが生じても、それにうまく対応が可能で、さらに、古くなった側板に被着させた時のリフォ−ム部材木口が化粧されており、部材の納まり端部が仕上がり外観的にも優れ、しかも、側板角部の段差が生じることがない、階段の側板リフォ−ム部材を提供することにある。
【００１１】
【課題を解決するための手段】
上記目的を達成するために、本発明の請求項１に記載の発明は、階段側板の木端角部分を被覆してリフォ−ムするための階段リフォ−ム部材であって、該リフォ−ム部材は、所定の異なる大小２つの幅を有する２つの被覆片からなり、該２つの被覆片が互いに略直角にその一端を当接し、断面が略逆Ｌ字型を有する所定長さの長尺化粧枠材からなり、前記被覆片の異なる２つの幅寸法が、壁面から側板角部までの最大寸法と最小寸法に対応した幅寸法であることを特徴とする。
【００１２】
係る構成から、現場で採用される階段の側板の厚みが複数種類あって、側板上面（木端面）の幅の設計寸法がさまざまであっても、また、階段室の壁面から側板が突出する寸法、すなわち、壁面から側板の角部までの寸法が現場毎にバラツキが生じても、それにうまく対応可能となり、１つの種類の長尺化粧枠材を用意することで、ほとんど全てに対応可能となる。
【００１３】
また、本発明の請求項２に記載の発明は、前記長尺化粧枠材の２つの被覆片の両方又は少なくともいずれか片方に裏面側から断面略Ｖ字型の切欠溝が設けられていることを特徴とする。
【００１４】
係る構成から、前記長尺化粧枠材を古くなった側板に被着させた時、図４に示すように前記切欠溝の個所で折り曲げて施工すると、前記長尺化粧枠材の被覆片の納まり端部が化粧されるようになり、化粧されていない基材が露出しないので、仕上がり外観上優れたものとなる。
【００１５】
【発明の実施の形態】
以下、本発明に係る側板のリフォ−ム部材の実施の形態の一例を図面により詳細に説明する。図１は本発明の側板のリフォ−ム部材の一実施形態を示す斜視図、図２はそのＡ−Ａ線拡大断面図を示す。図３は本発明のリフォ−ム部材の施工状態を示す断面図で、（イ）は壁材Ｗと側板角部までの寸法が最小である場合を示し、（ロ）は壁材Ｗと側板角部までの寸法が最大である場合を示す。図４は本発明のリフォ−ム部材の他の施工状態を示し、（イ）は下部面材２とのチリ寸法ｐが無い状態を示し、（ロ）は下部面材２とのチリ寸法ｐが若干でも確保できた状態を示す。
【００１６】
本発明の側板のリフォ−ム部材は図１、図２に示すように、断面形状が略逆Ｌ字型の長尺化粧枠材１からなっている。該長尺化粧枠材１は所定の異なる大小２つの幅を有する２つの被覆片小１ａと被覆片大１ｂで構成されており、該被覆片１ａと１ｂは互いに略直角にその一端が当接している。当接個所の構造は相じゃくり加工、本実加工、４５度径斜面に仕上げた当接面どうしを突き合わせた留め加工など、さまざまな接続構造を用いることができる。
【００１７】
また、本発明の長尺化粧枠材１の２つの被覆片１ａ及び１ｂの両方又は少なくともいずれか片方に裏面側から断面略Ｖ字型の切欠溝ｇが設けられている。該切欠溝ｇの中心から被覆片１ａ、１ｂの端面までの寸法をＬ３とする。
【００１８】
図３に示すように、前記長尺化粧枠材１の２つの被覆片１ａと１ｂとは、階段側板の施工後の壁材Ｗから側板Ｇの木端面角部までの寸法の実際の最小寸法Ｌ１と実際の最大寸法Ｌ２に対応した幅寸法を有している。被覆片１ａの幅寸法が実際の最小寸法Ｌ１に対応し、被覆片１ｂの幅寸法が実際の最大寸法Ｌ２に対応している。
【００１９】
壁材Ｗから側板Ｇの木端面角部までの寸法とは、階段の側板を施工する時、階段室の下地材に古い側板Ｇを固定し、次に古い側板Ｇの上木端面に階段室の壁面を構成する壁材Ｗを差し込む溝（図示せず）を加工し、該溝に前記壁材Ｗを差し込んで階段室の壁面が仕上げられている。この時の壁材Ｗ表面から側板の木端面角部までの寸法のことである。
【００２０】
そして、壁材Ｗから側板Ｇの木端面角部までの寸法は、取り付け施工する階段側板の厚みによっても、又、階段の施工現場によってもさまざまであり、本発明の長尺化粧枠材１の２つの被覆片１ａと１ｂの幅寸法に対応している。壁材Ｗの表面から古い側板Ｇの木端面の角部までの最小寸法をＬ１、壁材Ｗの表面から古い側板Ｇの木端面の角部までの最大寸法をＬ２とすると、上述したように、前記被覆片１ａの幅寸法はＬ１に対応し、前記被覆片１ｂの幅寸法はＬ２に対応する。特殊な場合を別にすれば、実際、Ｌ１は約１０ｍｍ前後〜３０ｍｍ前後であり、Ｌ２は約３０ｍｍ前後〜５０ｍｍ前後である。
【００２１】
階段のさまざまな寸法、特に現場で採用される階段の側板の厚みが複数種類あって、側板上面（木端面）の幅の設計寸法がさまざまで、側板上面（木端面）の壁材Ｗからの寸法がさまざま異なっていても、本発明の側板リフォ−ム部材を用いれば極めて簡単に対応可能となる。
【００２２】
すなわち、厚みの薄い側板を採用している施工現場においては、断面形状が略逆Ｌ字型の本発明の長尺化粧枠材１の２つの異なる幅の被覆片１ａと１ｂのうち、幅が小さい方の被覆片１ａを側板上面（木端面）を覆うようにして被せ、もう一方の被覆片１ｂは側板の内向き側面の上部を覆うようにする。
【００２３】
そして、逆に厚みの厚い側板を採用している施工現場においては、断面形状が略逆Ｌ字型の本発明の長尺化粧枠材１を長さ方向で上下ひっくり返して、長尺化粧枠材１の２つの異なる幅の被覆片１ａと１ｂのうち、幅が大きい方の被覆片１ｂを側板上面（木端面）を覆うようにして被せ、もう一方の被覆片１ａは側板の内向き側面の上部を覆うようにする。
【００２４】
また、現場毎に側板が壁材Ｗから突出する寸法にバラツキがあっても、前記２つの被覆片１ａと１ｂのうち、壁材Ｗから側板角部までの寸法に近い方の被覆片を選択し、該被覆片が側板の上面（木端面）を覆うようにして長尺化粧枠材１を被着させれば良い。
【００２５】
もう１つの被覆片は古い側板Ｇの角部から側板内向き側面上部へかけて被覆するので古い側板Ｇの木端面角部が精度良く被覆できる。このようにすることで、現場で採用される階段の側板の厚みが複数種類あって、側板上面（木端面）の幅の設計寸法がさまざまであっても、また、階段室の壁面から側板が突出する寸法、すなわち、壁材Ｗから側板Ｇの上面（木端面）の角部までの寸法が現場毎にバラツキが生じても、それにうまく対応可能となり、１つの種類の長尺化粧枠材１を用意することで、ほとんど全てに対応可能となる。
【００２６】
本発明の長尺化粧枠材１は大小２つの被覆片の幅寸法で、小さい方が約１０ｍｍ前後〜３０ｍｍ前後であり、大きい方が約３０ｍｍ前後〜５０ｍｍ前後である。長尺化粧枠材１の長さは約３〜５ｍ程度である。
【００２７】
２つの被覆片１ａと１ｂは、図２に示すように、基材ｄ表面に化粧材ｋが貼着されている。踏み板、蹴込み板が天然木材からなる階段の場合は、基材として、合板、パ−ティクルボ−ド、中比重繊維板、ＯＳＢ、集成材等を用い、その表面に化粧材ｋとして天然銘木単板又は塩ビ化粧シ−ト、化粧紙等を貼着し、ウレタン樹脂系塗料、ポリエステル樹脂系塗料等で塗装仕上げしたものが好適である。これら以外に、基材ｄとして硬質塩化ビニル樹脂、ＡＢＳ樹脂、ポリエステル樹脂、硬質ウレタン樹脂等の合成樹脂成型体を用い、その表面に塩化ビニルシ−ト、化粧紙などの化粧材ｋを貼着したもの等も好適な例として挙げられる。もちろん、これらに限られるわけではない。
【００２８】
前記長尺化粧枠材１を古い側板Ｇの木端角面を覆うように被着することで、古い側板Ｇを取り外さなくとも、新しい側板として、極めて簡便にリフォ−ムすることができる。そして、長尺化粧枠材１の被覆片１ａと１ｂのうち、片方が側板木端面を覆い、他方の被覆片が側板の内向き側面上部を覆い、その下部は別の面材２で化粧する。さらに、本発明の長尺化粧枠材１は断面形状で略逆Ｌ字型をしているので、図４に示すように施工後側板角部にリフォ−ム部材による段差が発生しないので、外観的にも優れたものとなる。
【００２９】
前記長尺化粧枠材１の２つの被覆片１ａと１ｂの両方又はいずれか片方に裏面側から断面形状が略Ｖ字型の切欠溝ｇが形成されている。前記長尺化粧枠材１を古くなった側板Ｇに被着させた時、図４に示すように前記切欠溝ｇの個所で折り曲げて施工すると、前記長尺化粧枠材１の被覆片の納まり端部の化粧されていない基材が露出しないので、仕上がり外観上優れたものとなる。
【００３０】
前記切欠溝ｇの中心から被覆片端面からの寸法Ｌ３は被覆片の厚みｔと同じか又は少し大き目がよい。Ｌ３と被覆片の厚みｔが同じ寸法であると、図４の（イ）に示すように下部面材２とのチリ寸法ｐがゼロとなり、Ｌ３が被覆片の厚みｔよりも若干でも大きいと、図４の（ロ）に示すように下部面材２とのチリ寸法ｐが若干確保できる。現場施工寸法の誤差やバラツキを考慮すると前記チリ寸法ｐが若干でも確保できる方が施工後の仕上がりが良い。切欠溝ｇの深さは、被覆片の厚みｔのうちで、表面側を約０．２〜１．０ｍｍ程度残して、折り曲げに支障なく且つ切欠加工後折り曲げまでの間で破損しない程度の深さとすればよい。
【００３１】
また、図３、図４に示すように、前記切欠溝ｇの箇所で折り曲げて使用しないときは、切欠溝の箇所で空間部が生じ強度的に弱くなるので、充填材Ｊで充填しておく方が好ましい。この充填材Ｊとしては、ポリエステル樹脂、ウレタン樹脂、アクリル樹脂等の合成樹脂系パテを好適な例として挙げることができる。この場合、樹脂の固形分濃度が９０％以上のものが充填後の目やせが生じにくいので、最適である。その他ユリア樹脂、メラミン樹脂系接着剤に木粉を適量混入させた木粉パテ等も適する。
【００３２】
【発明の効果】
階段の側板をリフォ−ムする際、古くなった側板を取り外さないで、その上から本発明の長尺化粧枠材を被覆するだけで階段側板のリフォ−ムが可能であり、施工性が大きく向上する。
【００３３】
また、現場で採用される階段の側板の厚みが複数種類あって、側板上面（木端面）の幅の設計寸法がさまざまであっても、また、階段室の壁面から側板が突出する寸法、すなわち、壁面から側板木端面角部までの寸法が現場毎にバラツキが生じても、それにうまく対応可能となり、１つの種類の長尺化粧枠材を用意することで、ほとんど全てに対応可能となる。したがって、１種類のリフォ−ム部材を在庫するだけで良い。
【００３４】
また、前記長尺化粧枠材を古くなった側板に被着させた時、前記切欠溝の個所で折り曲げて施工すると、前記長尺化粧枠材の被覆片の納まり端部が化粧されるようになり、化粧のない基材が露出することがなく、仕上がり外観上優れたものとなる。
【図面の簡単な説明】
【図１】本発明の側板のリフォ−ム部材の一実施形態を示す斜視図。
【図２】図１のＡ−Ａ線拡大断面図。
【図３】本発明のリフォ−ム部材の施工状態を示す断面図。
（イ）壁材から側板木端面角部までの寸法が最小である場合を示す。
（ロ）壁材から側板木端面角部までの寸法が最大である場合を示す。
【図４】本発明のリフォ−ム部材の他の施工状態を示す。
（イ）下部面材とのチリ寸法が無い状態を示す。
（ロ）下部面材とのチリ寸法が若干でも確保できた状態を示す。
【図５】従来の側板のリフォ−ム部材を用いて施工した状態を示す断面図。
【符号の説明】
１      長尺化粧枠材
１ａ    被覆片小
１ｂ    被覆片大
２      下部面材
ａ      被覆片１ａの有効幅寸法
ｂ      被覆片１ｂの有効幅寸法
ｇ      切欠溝
ｄ      基材
ｋ      化粧材
Ｌ      長尺化粧枠材の長さ
Ｌ１    壁材から側板の木端面角部までの実際の最小寸法。
Ｌ２    壁材から側板の木端面角部までの実際の最大寸法。
Ｌ３    切欠溝ｇの中心から被覆片端面までの寸法。
Ｇ      既存の古い側板
Ｗ      壁材
ｐ      チリ寸法
１１    従来の長尺化粧材
１２    従来の単位化粧側板
Ｄ      段差
【図１】
2004285617.tif 000003
【図２】
2004285617.tif 000004
【図３】
2004285617.tif 000005
【図４】
2004285617.tif 000006
【図５】
2004285617.tif 000007